(57)【特許請求の範囲】
【請求項１】
接点素子（７，８）を装着する２個の絶縁本体（３，４）を備え、一方の絶縁本体（４）には、取付装置（９）にラッチする固定素子（６）を設けた、遠隔通信及びデータ技術用の成端用、隔離用又は接続用ストリップにおいて、
前記２個の絶縁本体（３，４）を互いに９０゜の角度をなしてそれぞれ底部の平面をなす水平方向および前記底部の平面から直立する垂直方向に配置し、前記接点素子（７，８）は２個の互いに９０゜の角度をなして前記水平方向および垂直方向に沿うよう形成し、また接点素子（７，８）を前記２個の互いに９０゜の角度をなす前記水平方向および垂直方向に沿うよう前記絶縁本体（３，４）に順次装着し、この結果、互いに９０゜の角度をなしてそれぞれ水平方向および垂直方向に指向する２列の端子ストリップ（１，２）が生ずるようにし、さらに、前記一方の絶縁本体（４）には、前記取付装置（９）にラッチする他の固定素子（５）を設けたことを特徴とする成端用、隔離用又は接続用ストリップ。
【請求項２】
接点素子（７，８）を互いに９０゜の角度をなす２個の絶縁本体（３，４）に導入し、また一体的又は個別の前記接点素子（７，８）が２個の互いに９０゜の角度をなして前記水平方向および垂直方向に沿うよう形成して互いに９０゜の角度をなしてそれぞれ水平方向および垂直方向に指向する２列の端子ストリップ（１，２）を形成するようにし、前記一方の絶縁本体（４）に固定素子（５，６）を設け、取付装置（９）の２個のラッチ位置（Ｉ，II）でラッチしうるようにした請求項１記載の成端用、隔離用又は接続用ストリップ。
【請求項３】
前記取付装置（９）を取付ブラケット又は輪郭形成したレールにより構成した請求項２記載の成端用、隔離用又は接続用ストリップ。
【請求項４】
前記取付装置（９）をフランジにより構成し、このフランジにストリップをねじ止めするようにした請求項１記載の成端用、隔離用又は接続用ストリップ。
【請求項５】
前記接点素子（７）を、ピックオフ接点（２５）を有するＵ字状絶縁貫入端子接続接点（２４）と、他のピックオフ接点（２７）を有するＬ字状絶縁貫入端子接続接点（２６）とにより形成し、これらの２個のピックオフ接点（２５，２７）がピックオフ機能部（２８）を形成するようにした請求項１乃至４のうちのいずれか一項に記載の成端用、隔離用又は接続用ストリップ。
【請求項６】
前記接点素子（８）を、ピックオフ機能部（３１）及び２個の互いに９０°の角度をなして配置した絶縁貫入端子接続接点（２９，３０）から一体に形成した請求項１乃至４のうちのいずれか一項に記載の成端用、隔離用又は接続用ストリップ。
【請求項７】
取付ブラケット（９）の結線位置（Ｉ）にストリップをラッチするためラッチ開口（１８）のラッチ列（１６）と、取付ブラケット（９）の最終位置（II) にストリップをラッチするためのラッチ開口（１９）のラッチ列（１７）とを設け、結線位置（Ｉ）のためのラッチ開口（１８）をストリップの最終位置（II) のためのラッチ開口（１９）との間に側方にオフセットした請求項３記載の成端用、隔離用又は接続用ストリップ。
【請求項８】
ケーブル線及び／又はブロッキングプラグを自由に可変調整できるようにするため前記取付ブラケット（９）の後壁（２０）に細長い孔（２１）を設けた請求項３記載の成端用、隔離用又は接続用ストリップ。
【請求項９】
前記取付ブラケット（９）を、保護ダストキャップ（２３）の挿入窪み（２２）に連結し、接点素子（７，８）にほこりが侵入しないようにした請求項３又は７又は８のいずれかに記載の成端用、隔離用又は接続用ストリップ。
【請求項１０】
リードシールできるフレームを設け、ケーブルコア側の操作を防止するようにした請求項１乃至９のうちのいずれか一項に記載の成端用、隔離用又は接続用ストリップ。
【請求項１１】
アダプタとして使用することができるマーキングプレートを取付ブラケット（９）に設け、ケーブルコア側のストリップの結線を適正に行うことができるようにした請求項３記載の成端用、隔離用又は接続用ストリップ。
【請求項１２】
前記ストリップを列状に配列した請求項１乃至１１のうちのいずれか一項に記載の成端用、隔離用又は接続用ストリップ。
【請求項１３】
請求項１〜１２のうちいずれか一項に記載の成端用、隔離用又は接続用ストリップの接点素子（７，８）にケーブルコアを結線する方法において、固定素子（６）によりストリップを取付装置（９）における結線位置（Ｉ）に移動および係止してケーブルコア側の結線を行い、次に前記ストリップを釈放し、また９０°回転して最終位置（II）に移動して他の固定素子（５）により取付装置（９）に前記ストリップを係止する成端用、隔離用又は接続用ストリップの結線方法。
【発明の詳細な説明】
【０００１】
【発明の属する技術分野】
本発明は、接点素子及び保持装置を有する遠隔通信及びデータ技術用の成端用、隔離用又は接続用ストリップに関するものである。
【０００２】
【従来の技術】
遠隔通信及びデータ技術に使用される成端ストリップ及び隔離ストリップはドイツ国特許第２，８０４，４７８号に記載の絶縁貫入端子接点に装着され、一平面上で結線することができるようにしている。この従来例においては、ケーブルコア側及び交換（スイッチング）側の接続接点を、正面部分で同一作業レベルに配置している。ストリップは、取付ブラケットにラッチし、また必要に応じて取付ブラケットから外し、案内ツールを使用して取り外すことができるようにしている。このような取付ブラケットはドイツ国特許第２８１１８１２号に記載されている。
【０００３】
【発明が解決しようとする課題】
ストリップによれば、例えば、１２個の終端部を有する標準のケーブル接合部が１００個のツインコアケーブルを形成することができる。拡張は、新たなハウジングに他の終端部を使用することによってのみ可能になる。ケーブル接合部の所定間隔で配線をシールすることは、分配領域における接点溝孔の利用可能な面積を犠牲にして使用するモジュールの小型化を必要とし、このことは配線作業員の作業条件の低下を意味し、また結線の明瞭化に悪影響を与える。
【０００４】
今後重要性及び必要性が高まってきているネットワークオペレータと加入者との間の反応能（コンピーテンス：competence）領域の輪郭形成は、既知の遠隔通信及びデータ技術モジュールを使用して困難を伴って行われている。
【０００５】
ドイツ国特許出願第９４００３０３．３号には、互いに９０°の角度をなす２列の成端ストリップを有する端子モジュールについて記載しており、この成端ストリップは、絶縁貫入端子技術を可能にしており、これによりはんだ付け及び剥ぎ取りを回避し、ねじを使用せず、データ通信技術に関して標準の接続ソケットの極めて小さいスペースを使用することができるようにしている。
【０００６】
成端（ターミナル）だけ実施しているが、隔離（アイソレーション）、交換（チェンジオーバー）並びにテスト等の他の機能を実施できないのは都合が悪い。
【０００７】
本発明の目的は、汎用タイプの成端（ターミナル）用、隔離（アイソレーション）用、又は接続（コネクティング）用ストリップを得るにあり、極めて異なる回路によって遠隔通信及びデータ技術における保護タスク及び測定タスクを極めて小さいスペースで確実に行うことができ、増加した結線密度、高い信頼性かつ高いオペレータの利便性及び明瞭性を保証し、ネットワークオペレータ及び加入者の反応能領域間の信頼性の高い分離を行うことができるストリップを得るにある。
【０００８】
【課題を解決するための手段】
この目的を達成するため、本発明成端（ターミナル）用、隔離（アイソレーション）用、又は接続（コネクティング）用ストリップは、前記２個の絶縁本体を互いに９０゜の角度をなしてそれぞれ底部の平面をなす水平方向および前記底部の平面から直立する垂直方向に配置し、前記接点素子は２個の互いに９０゜の角度をなすよう形成し、また接点素子を前記２個の互いに９０゜の角度をなす前記水平方向および垂直方向に沿うよう前記絶縁本体に順次装着し、この結果、互いに９０゜の角度をなしてそれぞれ水平方向および垂直方向に指向する２列の端子ストリップが生ずるようにし、さらに、前記一方の絶縁本体には、前記取付装置にラッチする他の固定素子を設けたことを特徴とする。
【０００９】
本発明により２個の平面にわたり連続的に形成した好適には互いに角度をなす絶縁貫入端子接点素子に関連して２個の成端ストリップ間の好適には、９０°の角度は、遠隔通信及びデータ技術のための汎用的なストリップを提供することができ、これにより成端、隔離及び接続のタスク並びに試験、測定、保護及び中断のない交換を行うことができる。接点の交換のみが必要であり、また過剰電圧保護プラグ等のような機能素子を二分割の絶縁本体内に挿入するだけでよい。
【００１０】
各ストリップの保護は、マガジンに挿入することによって確実にすることができ、又は代案として、単独のツインコアの保護を実施することができる。
【００１１】
ストリップの寸法の大幅な減少と同時に、相当大きいまたより明瞭度の高い分配パネルが得られ、標準のケーブル接合部において、３３％増大した結線密度と、実質的に４０％大きい分配面積における接点溝孔あたりの利用可能な面積が得られる。
【００１２】
ストリップを最終位置に配置するとき分配側は配線作業員に対向し、ストリップを都合よくまた信頼性高くしかも視覚的に明瞭に結線することができる。
【００１３】
２個の平面におけるストリップの結線により、適当な手段例えば、リードシールできるフレームによってケーブルコア側の底部における結線操作を防止することができる。
【００１４】
２個の平面におけるストリップの結線は、反応能領域の分離即ち、ネットワークオペレータ側（底部におけるケーブルコア側）と分配側（頂部における分配パネル側）とを分離することができる。
【００１５】
配線作業員を傷付ける危険性を大幅に低下させる平滑な上側端縁を有するよう側面にラッチ開口を配置した２個のラッチ列を装備する取付ブラケットにより、利便性及び信頼性が保証され、また、第１ストリップラッチ位置での明瞭な結線を行うことができ、、安全な最終位置で操作が困難であり、第１ラッチ位置では結線ツールを使用してのみ釈放できる。
【００１６】
取付ブラケットの後面は細長い孔を有し、この孔により、ホルダをゆるめることによって複数個のケーブル線を取付ブラケットの後壁で互いに相対移動でき、ケーブル線及び／又はブロッキングプラグの位置を可変調整することができるようになる。
【００１７】
本発明の他の実施例においては、ストリップを輪郭形成したレールに固定したり、又はフランジを介してストリップをねじ連結する。
【００１８】
更に、本発明の他の好適な実施例においては、絶縁貫入端子接点素子を互いに角度をなす２個の絶縁本体に導入し、また前記絶縁貫入端子接点素子を連続的又は個別に２個の平面をなすよう形成して互いに角度をなす２列の端子ストリップを形成するようにし、下側絶縁本体にラッチ素子を取付装置の２個のラッチ位置にラッチしうるようにする。
【００１９】
更に、本発明の好適な実施例においては、前記取付装置を取付ブラケット又は輪郭形成したレールにより構成する。
【００２０】
更に、本発明の他の好適な実施例においては、前記取付装置をフランジにより構成し、このフランジにストリップをねじ止めするようにする。
【００２１】
更に、本発明の好適な実施例においては、２個の絶縁本体を互いに９０°の角度をなすよう連結する。
【００２２】
更に、本発明の他の好適な実施例においては、前記絶縁貫入端子接点素子を、ピックオフ接点を有するＵ字状絶縁貫入端子接続接点と、他のピックオフ接点を有するＬ字状絶縁貫入端子接続接点とにより形成し、これらの２個のピックオフ接点がピックオフ機能部を形成するようにする。
【００２３】
更に、本発明の他の好適な実施例においては、絶縁貫入端子接点素子を、ピックオフ機能部及び２個の互いに９０°の角度をなして配置した絶縁貫入端子接続接点から一体に形成する。
【００２４】
更に、本発明の他の好適な実施例においては、取付ブラケットの結線位置にストリップをラッチするためラッチ開口のラッチ列と、取付ブラケットの最終位置にストリップをラッチするためのラッチ開口のラッチ列とを設け、結線位置のためのラッチ開口をストリップの最終位置のためのラッチ開口との間に側方にオフセットする。
【００２５】
更に、本発明の他の好適な実施例においては、ケーブル線及び／又はブロッキングプラグを自由に可変調整できるようにするため前記取付ブラケットの後壁に細長い孔を設ける。
【００２６】
更に、本発明の他の好適な実施例においては、前記取付ブラケットを挿入窪みに連結し、また保護ダストキャップに連結し、接点素子にほこりが侵入しないようにする。
【００２７】
更に、本発明の他の好適な実施例においては、リードシールできるフレームを設け、ケーブルコア側（ネットワーク側）の操作を防止するようにする。
【００２８】
更に、本発明の他の好適な実施例においては、アダプタとして使用することができるマーキングプレートを取付ブラケットに設け、ケーブルコア側のストリップの結線を適正に行うことができるようにする。
【００２９】
更に、本発明の他の好適な実施例においては、前記ストリップを列状に配列する。
【００３０】
【発明の実施の形態】
次に、図面につき本発明の好適な実施の形態を説明する。
【００３１】
成端用（ターミナル）用、隔離（アイソレーティング）用及び接続（コネクティング）用の本発明ストリップは、例えば、遠隔通信の局所ケーブルネットワークにおけるケーブル接合部（ジャンクション）を構築するため、プラスチック絶縁ケーブル及び絶縁ワイヤを終端部に接続するのに使用すると好適である。
【００３２】
終端部は、例えば、それぞれツインコアケーブルを有する１０個のストリップと、取付ブラケット９と、プレートを有するマーキングブラケット（図示せず）とを有し、このマーキングブラケットはケーブルコア側の配線を適正にするアダプタとして使用することができる。
【００３３】
本発明によるストリップの物理的設計は、従来の３個の終端部に代えて、４個の終端部をケーブル接合部におけるベイに挿入することができるよう、各終端部のグリッド寸法を減少する。接続のパッキング密度は３３％向上し、しかも分配パネルの明瞭度が改善されまたスペースも増える。
【００３４】
分配領域における配線作業員が利用できる領域は、１個の接点溝孔につき実質的に４０％も向上している。
【００３５】
ストリップを２個の平面で結線しているため、ケーブルコア側は底部に配置され、分配パネル側は９０°の角度をなして上向きに配線作業員に向かって配置され、ケーブルコア側（ネットワークオペレータ領域）の操作性は適当な手段例えば、リードシールできるフレームによって減少することができる。また、ネットワークオペレータ側を加入者側から分離することによって反応能（コンピーテンス）領域を分離することができる。
【００３６】
ストリップの構造を図１〜図５に示す。ストリップの絶縁本体を、図１〜図５に示すように、上側部分３と下側部分４とに２分割する。上側部分３及び下側部分４は、絶縁貫入端子接点素子７，８（図６、図８参照）を装着した後、互いに９０°の角度をなすよう、ストリップの上側部分３の両側の側面に設けたラッチ開口１０と、ストリップの下側部分４の両側の側面に設けたラッチフック３７とを介してラッチする。
【００３７】
上側部分３及び下側部分４（ハウジング部分）によって形成される絶縁本体は異なるストリップ機能（成端ストリップ、隔離ストリップ又は接続ストリップ）の形成にも対応できるよう同一にする。ストリップの異なる機能は、図６及び図８に示す異なる絶縁貫入端子接点を装着し、また他の周辺マガジン等を追加して装着することによってもたらされる。
【００３８】
図１に示すように、上側部分３に形成した端子ストリップ１は接点溝孔１１を有し、下側部分４に形成した端子ストリップ２には、接点溝孔１１に９０°の角度をなす接点溝孔１２を有し、これらの接点溝孔を介して結線を生ずる。
【００３９】
端子ストリップ１は、加入者側の導出ワイヤの接続用の分配側ＲＳを形成し、端子ストリップ２は、ネットワークオペレータからの導入ワイヤの接続用のケーブル側ＫＳを形成する。
【００４０】
図１には、更に、ケーブルコアのルーティング用の既知のルーティング手段３２、３３及びストリップを取付ブラケット９（図１０、図１１参照）又は図示しない輪郭形成部にラッチするためのラッチ素子５を設ける。ストリップは必要に応じて列状に配列することができる。
【００４１】
ストリップを取付ブラケット９に簡単にラッチすることができるため、時間のかかるねじ締め作業を省くことができ、また必要に応じて個々のストリップを取付ブラケット９からロック解離ブレードによって容易に解離して取り外すことができ、このロック解離ブレードは図示しない結線ツールから折り畳み状態から引き出すことができる。
【００４２】
図１０、図１１における取付ブラケット９に示すように、ストリップを２個の位置で取付ブラケット９にラッチする。取付ブラケット９の側壁３４における２個のラッチ列１６，１７を図１１に示す。ケーブル側ＫＳにおける導入ケーブルコアにストリップを都合よく結線するため、ストリップを初めに結線位置Ｉ（図１１参照）に移動し、ラッチ素子６（図２参照）によってラッチ列１６のラッチ開口１８にラッチする。この後、ストリップを取り外し、９０°角度をなして最終位置IIに、ラッチ素子５（図１〜図４参照）をラッチ列１７（図１１参照）のラッチ開口１９にラッチすることによって係止する。最終位置IIにおけるストリップのラッチはロック解離ブレードを使用してラッチを解離することによってのみ釈放できるとともに、結線位置Ｉにおけるラッチは何ら補助なしに解離することができる。このことにより、従来技術よりも相当大きい、配線作業員に対面する信頼性の高いかつ都合のよい結線を行うことができる視覚的に明瞭度の高い分配パネルが得られる。
【００４３】
取付ブラケット９の側壁３４にラッチ開口１８，１９を設けたことにより、側壁３４の端縁３５を平滑にし、ストリップの取付作業中に配線作業員を傷付ける危険性がない。
【００４４】
図１０に示すように、取付ブラケット９には細長い孔２１を設け、ケーブル線又はブロッキングプラグの制限のない可変調整を行うことができるようにする。
即ち、ケーブル線はホルダを完全にゆるめることなく取付ブラケット９の後壁で互いの配置を整えることができる。
【００４５】
図４は、ストリップを取付ブラケット９の最終位置IIにラッチするとき、配線作業員側に見えるストリップの平面図を示す。接点溝孔１１，１３は分配パネル側ＲＳの配線作業員に対面し、接点溝孔１２はこれらの接点溝孔１１，１３に対して９０°の角度をなしてケーブル側ＫＳに存在する。
【００４６】
図５の断面図には、隔離ストリップ又は接続ストリップとして設計したストリップを示し、隔離（アイソレーティング）接点素子７を装着してある。
【００４７】
図５及び図６に示す隔離接点素子７は、ピックオフ接点２５を有するＵ字状の絶縁貫入端子接続接点２４及びピックオフ接点２７を有するＬ字状絶縁貫入端子接続接点２６により構成する。２個のピックオフ接点２５，２７は分配側ＲＳの平面において、ピックオフ機能部２８を形成し、このピックオフ機能部を介して任意の機能素子（図示せず）のピックオフ部１５を挿入し、所要の機能例えば、過剰電圧保護を行うことができるようにする。隔離ポイント１４はピックオフ接点脚２５のアングル部３６によって接続ポイントとして設計することもでき、このアングル部３６は省略して接続脚２５を真っ直ぐなラインで連続させることもできる。
【００４８】
加入者の導出ケーブルコアを絶縁貫入端子接続接点２４に接続し、ネットワークオペレータからの導入ケーブルコアを接続接点２４に対して９０°の角度をなす絶縁貫入接続接点２６に接続する。
【００４９】
図６は絶縁貫入接点素子７（隔離接点）の平面図を示す。
【００５０】
図７は成端ストリップを形成する絶縁貫入端子接続接点８を設けたストリップの断面を示す。
【００５１】
絶縁貫入端子接続接点８は、互いにまたピックオフ機能部３１に対して９０°の角度をなして配置した２個の絶縁貫入端子接続接点２９，３０から一体に形成する。
【００５２】
ピックオフ機能部３１及び絶縁貫入端子接続接点２９は分配側ＲＳからアクセスすることができ、また絶縁貫入端子接続接点３０にはケーブル側ＫＳから結線することができる。
【００５３】
図８には、図７のストリップに使用する絶縁貫入端子接続接点８の平面図を示す。従って、絶縁貫入端子接続接点２９はピックオフ機能部３１に対して４５°の角度をなす。
【００５４】
図９は、取付ブラケット９にラッチしたストリップの接点素子がどのようにして、保護ダストキャップ２３の挿入窪み２２を取付ブラケット９にラッチすることにより、ほこり及び結露から防止するかを線図的に示す。
【図面の簡単な説明】
【図１】  二分割の絶縁本体から形成したストリップの正面図であり、図１におけるＢ‐Ｂ線上の拡大断面を示す図５または図７におけるＫＳ側（左方）から矢印の方向に見た正面図である。
【図２】  図１に示すストリップの後面図であり、図１におけるＢ‐Ｂ線上の拡大断面を示す図５または図７におけるＫＳ側とは反対側の後面側（右方）からに見た後面図である。
【図３】  図１に示すストリップを下側から見た底面図である。
【図４】  図１に示すストリップを上側から見た平面図である。
【図５】  隔離接点又は接続接点を挿入した図１に示すストリップのＢ−Ｂ線上の断面図であり、ただし絶縁本体下側部分の底面から突出する図１に示すラッチ素子およびルーティング手段を省略した拡大部分断面図である。
【図６】  図５に示す上側および下側の絶縁本体部分に導入する隔離接点又は接続接点を示す平面図である。
【図７】  図１に示す接続接点を挿入したストリップのＢ−Ｂ線上の断面図であり、ただし絶縁本体下側部分の底面から突出する図１に示すラッチ素子およびルーティング手段を省略した拡大部分断面図である。
【図８】  図７に示す上側および下側の絶縁本体部分に導入する接続接点を示す平面図である。
【図９】  保護ダストキャップ付きケーブル接合部における挿入窪みから取付ブラケットをケーブル接合部に装着し、また図１に示す１個のストリップを、図５に示す向きから９０゜反時計方向に回転した状態となる位置IIでこの取付ブラケットの側壁間に横方向に張り渡してラッチした状態のケーブル接合部の断面図である。
【図１０】  取付ブラケットにおける左右両側の側壁間に図１に示すストリップを横方向に張り渡して装着する取付ブラケットの正面図である。
【図１１】  図１０の取付ブラケットであり、図１に示すストリップのラッチ手順を説明するための側面図であり、ストリップを初期位置Ｉ（図５に示す向き）および最終取付位置IIでそれぞれ１個ずつラッチした状態の一部断面とする側面図である。
【図１】
0004567818.tif 000002
【図２】
0004567818.tif 000003
【図３】
0004567818.tif 000004
【図４】
0004567818.tif 000005
【図５】
0004567818.tif 000006
【図６】
0004567818.tif 000007
【図７】
0004567818.tif 000008
【図８】
0004567818.tif 000009
【図９】
0004567818.tif 000010
【図１０】
0004567818.tif 000011
【図１１】
0004567818.tif 000012